(57)【要約】【課題】スペースを縮小して保管、運搬又は輸送することができるとともに容易に組み立てて使用することができる構成でありながら、簡素な構成によりコストを低減することができるラックを提供する。【解決手段】前左側の支柱１及び後右側の支柱４を連結する第１水平連結杆１１並びに前右側の支柱２及び後左側の支柱３を連結する第２水平連結杆１２の中間部同士を垂直軸１５により連結し、第１水平連結杆１１及び第２水平連結杆１２を垂直軸１５まわりに相対的に回動可能としてなる、上下複数の平面視Ｘ字状対称リンクＡ，…と、前左側の支柱１及び後左側の支柱３間に架設される第１横架部材２１と、前右側の支柱２及び後右側の支柱４間に架設される第２横架部材２２とからなり、Ｘ字状対称リンクＡ，…の上側に物品を載置する。【選択図】図２
0003155433.tif 000002
【実用新案登録請求の範囲】
【請求項１】
前後左右の支柱からなる支柱列と、
該支柱列の前左側及び後右側の支柱を連結する第１水平連結杆並びに前記支柱列の前右側及び後左側の支柱を連結する第２水平連結杆の中間部同士を垂直軸により連結し、前記第１水平連結杆及び第２水平連結杆を前記垂直軸まわりに相対的に回動可能としてなる、上下複数の平面視Ｘ字状対称リンクと、
前記支柱列の前左側及び後左側の支柱間に架設される第１横架部材と、
前記支柱列の前右側及び後右側の支柱間に架設される第２横架部材と、
からなり、前記Ｘ字状対称リンクの上側に物品を載置するラック。
【請求項２】
前記第１水平連結杆が、前記前左側の支柱に取り付けられる前左杆、及び、前記後右側の支柱に取り付けられる、前記前左杆と略平行な後右杆、並びに、前記前左杆の後端部と前記後右杆の前端部とを繋ぐ、前記前左杆の後端部から前記後右杆の前端部へ向かって後方へ傾斜した第１傾斜杆により構成されるとともに、
前記第２水平連結杆が、前記前右側の支柱に取り付けられる前右杆、及び、前記後左側の支柱に取り付けられる、前記前右杆と略平行な後左杆、並びに、前記前右杆の後端部と前記後左杆の前端部とを繋ぐ、前記前右杆の後端部から前記後左杆の前端部へ向かって後方へ傾斜した第２傾斜杆により構成され、
前記第１傾斜杆及び第２傾斜杆を前記垂直軸により連結した状態で、前記前左杆、後右杆、前右杆及び後左杆の上面を略同一高さとしてなる請求項１記載のラック。
【請求項３】
前記横架部材が水平杆及び該水平杆の前後端を下側へ折り曲げた折曲部からなり、該折曲部を前記支柱の左右方向外側面に取り付けた受体の上面の穴内へ挿入してなる請求項１記載のラック。
【請求項４】
前記支柱を上下複数のパイプとし、上下一方のパイプに挿入されて他方のパイプ側へ突出し、他方のパイプに嵌入される連結体により連結してなる請求項１記載のラック。
【請求項５】
前後左右の支柱からなる支柱列と、
該支柱列の前左側及び後右側の支柱を連結する第１水平連結杆並びに前記支柱列の前右側及び後左側の支柱を連結する第２水平連結杆の中間部同士を垂直軸により連結し、前記第１水平連結杆及び第２水平連結杆を前記垂直軸まわりに相対的に回動可能としてなる、上下複数の平面視Ｘ字状対称リンクと、
前記支柱列の前左側及び後左側の支柱間に架設される第１横架部材と、
前記支柱列の前右側及び後右側の支柱間に架設される第２横架部材と、
前記Ｘ字状対称リンク上に載置された、物品を収納する引出しと、
からなる引出し付きラック。
【請求項６】
前記第１水平連結杆が、前記前左側の支柱に取り付けられる前左杆、及び、前記後右側の支柱に取り付けられる、前記前左杆と略平行な後右杆、並びに、前記前左杆の後端部と前記後右杆の前端部とを繋ぐ、前記前左杆の後端部から前記後右杆の前端部へ向かって後方へ傾斜した第１傾斜杆により構成されるとともに、
前記第２水平連結杆が、前記前右側の支柱に取り付けられる前右杆、及び、前記後左側の支柱に取り付けられる、前記前右杆と略平行な後左杆、並びに、前記前右杆の後端部と前記後左杆の前端部とを繋ぐ、前記前右杆の後端部から前記後左杆の前端部へ向かって後方へ傾斜した第２傾斜杆により構成され、
前記第１傾斜杆及び第２傾斜杆を前記垂直軸により連結した状態で、前記前左杆、後右杆、前右杆及び後左杆の上面を略同一高さとしてなる請求項５記載の引出し付きラック。
【請求項７】
前記横架部材が水平杆及び該水平杆の前後端を下側へ折り曲げた折曲部からなり、該折曲部を前記支柱の左右方向外側面に取り付けた受体の上面の穴内へ挿入してなる請求項５記載の引出し付きラック。
【請求項８】
前記引出しが簡易着脱具を外すことにより展開して平面状になる請求項５記載の引出し付きラック。
【請求項９】
前記引出しを引き出した際に前記横架部材により支持して落下を防止する落下防止部材を前記引出しの左右外側面に取り付けてなる請求項５記載の引出し付きラック。
【考案の詳細な説明】
【技術分野】
【０００１】
本考案は、物品を保管するために用いられるラックに関わり、更に詳しくは、折畳み状態でスペースを縮小して保管、運搬又は輸送することができるとともに、容易に組み立てて使用することができるラックの改良に関するものである。
【背景技術】
【０００２】
支柱と棚により構成され、物品を保管するために用いられる従来のラックとして、複数のＸ軸サポートフレーム、Ｙ軸サポートフレーム及びＺ軸サポートフレームにより構成されるとともに、複数の接合部によりＸ軸及びＺ軸サポートフレームが結合され、Ｘ軸及びＹ軸サポートフレームがＺ軸サポートフレームに沿って回転可能とされた、複数の載置空間を形成する折り畳みフレーム本体と、前記載置空間の底面の二つのＸ軸サポートフレーム間に位置し、Ｘ軸載置フレーム及びＹ軸載置フレームにより構成された載置本体とからなるものがある（例えば、特許文献１参照。）。
このようなラックによれば、折り畳みフレーム本体から載置本体を取り外して折り畳んだ状態とすることによりスペースを縮小して保管、運搬又は輸送することができるとともに、折り畳みフレームを広げて載置本体を取り付けることにより容易に組み立てることができる。
【先行技術文献】
【特許文献】
【０００３】
【特許文献１】登録実用新案第３１０３７７６号公報（図１−５、図１３）
【考案の概要】
【考案が解決しようとする課題】
【０００４】
特許文献１のラックは、折り畳みフレーム本体がＸ軸サポートフレーム、Ｙ軸サポートフレーム及びＺ軸サポートフレームにより構成されるとともに、Ｘ軸サポートフレーム及びＹ軸サポートフレームをＺ軸サポートフレームに沿って回転可能とするために、同一水平面内に４個の接合部を設ける必要がある。
その上、Ｘ軸載置フレーム及びＹ軸載置フレームにより構成された載置本体を備える必要がある。
よって、特許文献１のラックは、上述の特徴を有するものであるが、フレーム及び接合部の数が多いこと等により比較的複雑な構成となっているため、コストが増大するという問題点がある。
【０００５】
そこで本考案が前述の状況に鑑み、解決しようとするところは、スペースを縮小して保管、運搬又は輸送することができるとともに容易に組み立てて使用することができる構成でありながら、簡素な構成によりコストを低減することができるラック及び引出し付きラックを提供する点にある。
【課題を解決するための手段】
【０００６】
本考案に係るラックは、前記課題解決のために、前後左右の支柱からなる支柱列と、該支柱列の前左側及び後右側の支柱を連結する第１水平連結杆並びに前記支柱列の前右側及び後左側の支柱を連結する第２水平連結杆の中間部同士を垂直軸により連結し、前記第１水平連結杆及び第２水平連結杆を前記垂直軸まわりに相対的に回動可能としてなる、上下複数の平面視Ｘ字状対称リンクと、前記支柱列の前左側及び後左側の支柱間に架設される第１横架部材と、前記支柱列の前右側及び後右側の支柱間に架設される第２横架部材とからなり、前記Ｘ字状対称リンクの上側に物品を載置するものである。
このようなラックの構成によれば、平面視Ｘ字状対称リンクの上側に物品を載置した使用状態から、物品を降ろして横架部材を取り外すことにより、第１水平連結杆及び第２水平連結杆を垂直軸まわりに相対的に回動させて前後の支柱を近接させるように折り畳むことができるため、スペースを縮小して保管、運搬又は輸送することができる。
また、第１水平連結杆及び第２水平連結杆を垂直軸まわりに相対的に回動させて前後の支柱を離間させるようにして横架部材を取り付けることにより、容易に組み立てて使用することができる。
そして、特許文献１のようなラックの構成と比較して、フレーム数が少なく、且つ、ラックを折り畳むために必要な回動軸が同一水平面内（Ｘ字状対称リンク）に１個のみであるため、簡素な構成によりコストを大幅に低減することができる。
【０００７】
ここで、前記第１水平連結杆が、前記前左側の支柱に取り付けられる前左杆、及び、前記後右側の支柱に取り付けられる、前記前左杆と略平行な後右杆、並びに、前記前左杆の後端部と前記後右杆の前端部とを繋ぐ、前記前左杆の後端部から前記後右杆の前端部へ向かって後方へ傾斜した第１傾斜杆により構成されるとともに、前記第２水平連結杆が、前記前右側の支柱に取り付けられる前右杆、及び、前記後左側の支柱に取り付けられる、前記前右杆と略平行な後左杆、並びに、前記前右杆の後端部と前記後左杆の前端部とを繋ぐ、前記前右杆の後端部から前記後左杆の前端部へ向かって後方へ傾斜した第２傾斜杆により構成され、前記第１傾斜杆及び第２傾斜杆を前記垂直軸により連結した状態で、前記前左杆、後右杆、前右杆及び後左杆の上面を略同一高さとしてなると好ましい。
このようなラックの構成によれば、前記効果に加え、Ｘ字状対称リンクを用いた折り畳み可能な構成でありながら、前左杆、後右杆、前右杆及び後左杆の上面の高さを略同一にしているため、Ｘ字状対称リンク上に物品をより安定した状態で載置することができる。
【０００８】
また、前記横架部材が水平杆及び該水平杆の前後端を下側へ折り曲げた折曲部からなり、該折曲部を前記支柱の左右方向外側面に取り付けた受体の上面の穴内へ挿入してなると好ましい。
このようなラックの構成によれば、前記効果に加え、Ｘ字状対称リンクの開き位置を固定する横架部材の取付け及び取外しを受体の穴への折曲部の挿脱により行うことができるため、保管、運搬又は輸送の際の分解作業及び使用の際の組立作業をねじや工具を使わずに極めて容易に行うことができる。
【０００９】
さらに、前記支柱を上下複数のパイプとし、上下一方のパイプに挿入されて他方のパイプ側へ突出し、他方のパイプに嵌入される連結体により連結してなると好ましい。
このようなラックの構成によれば、前記効果に加え、保管、運搬又は輸送の際に、より小さい形態にすることができるとともに、収納スペースの拡張ニーズに対してもパイプを追加することにより容易且つフレキシブルに対応することができる。
【００１０】
本考案に係る引出し付きラックは、前記課題解決のために、前後左右の支柱からなる支柱列と、該支柱列の前左側及び後右側の支柱を連結する第１水平連結杆並びに前記支柱列の前右側及び後左側の支柱を連結する第２水平連結杆の中間部同士を垂直軸により連結し、前記第１水平連結杆及び第２水平連結杆を前記垂直軸まわりに相対的に回動可能としてなる、上下複数の平面視Ｘ字状対称リンクと、前記支柱列の前左側及び後左側の支柱間に架設される第１横架部材と、前記支柱列の前右側及び後右側の支柱間に架設される第２横架部材と、前記Ｘ字状対称リンク上に載置された、物品を収納する引出しとからなるものである。
このような引出し付きラックの構成によれば、平面視Ｘ字状対称リンクの上側に引出しを載置した使用状態から、引出しを降ろして横架部材を取り外すことにより、第１水平連結杆及び第２水平連結杆を垂直軸まわりに相対的に回動させて前後の支柱を近接させるように折り畳むことができるため、スペースを縮小して保管、運搬又は輸送することができる。
また、第１水平連結杆及び第２水平連結杆を垂直軸まわりに相対的に回動させて前後の支柱を離間させるようにして横架部材を取り付け、Ｘ字状対称リンク上に引出しを載置することにより、容易に組み立てて使用することができる。
そして、特許文献１のような引出し付きラックの構成と比較して、フレーム数が少なく、且つ、ラックを折り畳むために必要な回動軸が同一水平面内（Ｘ字状対称リンク）に１個のみであるため、簡素な構成によりコストを大幅に低減することができる。
【００１１】
ここで、前記第１水平連結杆が、前記前左側の支柱に取り付けられる前左杆、及び、前記後右側の支柱に取り付けられる、前記前左杆と略平行な後右杆、並びに、前記前左杆の後端部と前記後右杆の前端部とを繋ぐ、前記前左杆の後端部から前記後右杆の前端部へ向かって後方へ傾斜した第１傾斜杆により構成されるとともに、前記第２水平連結杆が、前記前右側の支柱に取り付けられる前右杆、及び、前記後左側の支柱に取り付けられる、前記前右杆と略平行な後左杆、並びに、前記前右杆の後端部と前記後左杆の前端部とを繋ぐ、前記前右杆の後端部から前記後左杆の前端部へ向かって後方へ傾斜した第２傾斜杆により構成され、前記第１傾斜杆及び第２傾斜杆を前記垂直軸により連結した状態で、前記前左杆、後右杆、前右杆及び後左杆の上面を略同一高さとしてなると好ましい。
このような引出し付きラックの構成によれば、前記効果に加え、Ｘ字状対称リンクを用いた折り畳み可能な構成でありながら、前左杆、後右杆、前右杆及び後左杆の上面の高さを略同一にしているため、Ｘ字状対称リンク上に引出しをより安定した状態で載置することができる。
【００１２】
また、前記横架部材が水平杆及び該水平杆の前後端を下側へ折り曲げた折曲部からなり、該折曲部を前記支柱の左右方向外側面に取り付けた受体の上面の穴内へ挿入してなると好ましい。
このような引出し付きラックの構成によれば、前記効果に加え、Ｘ字状対称リンクの開き位置を固定する横架部材の取付け及び取外しを受体の穴への折曲部の挿脱により行うことができるため、保管、運搬又は輸送の際の分解作業及び使用の際の組立作業をねじや工具を使わずに極めて容易に行うことができる。
【００１３】
さらに、前記引出しが簡易着脱具を外すことにより展開して平面状になると好ましい。
このような引出し付きラックの構成によれば、前記効果に加え、保管、運搬又は輸送の際に引出しもスペースを縮小した状態とすることができるとともに、引出しを使用する際に容易に組み立てて使用することができる。
【００１４】
さらにまた、前記引出しを引き出した際に前記横架部材により支持して落下を防止する落下防止部材を前記引出しの左右外側面に取り付けてなると好ましい。
このような引出し付きラックの構成によれば、前記効果に加え、簡素な構成により引出しの落下防止を行うことができるとともに、横架部材によりガイドされた状態で引出しのスライド動作が行われるため、引出しの開閉を安定して行うことができる。
【考案の効果】
【００１５】
以上のように、本考案に係るラック及び引出し付きラックによれば、スペースを縮小して保管、運搬又は輸送することができるとともに容易に組み立てて使用することができる構成でありながら、簡素な構成によりコストを大幅に低減することができるという顕著な効果を奏する。
【図面の簡単な説明】
【００１６】
【図１】本考案の実施の形態に係る引出し付きラックを示す斜視図である。
【図２】同じく引出し及び天板を外した状態を示す斜視図である。
【図３】同じくさらに横架部材を取り外して折り畳んだ状態を示す斜視図である。
【図４】支柱列及びＸ字状対称リンクの説明図であり、（ａ）は折り畳んだ状態を示す平面図、（ｂ）は使用状態を示す平面図、（ｃ）はＸ字状対称リンクの縦断正面図である。
【図５】最上段の引出しを取り外した状態を示す斜視図である。
【図６】引出しを展開した状態を示す斜視図である。
【図７】引出しの斜視図である。
【図８】横架部材の別の構成を示す縦断側面図である。
【図９】横架部材の長さを長くした構成例を示す斜視図である。
【図１０】上下のパイプを連結して支柱を構成する例を示す分解斜視図である。
【考案を実施するための形態】
【００１７】
次に本考案の実施の形態を添付図面に基づき詳細に説明するが、本考案は、添付図面に示された形態に限定されず特許請求の範囲に記載の要件を満たす実施形態の全てを含むものである。
なお、本明細書においては、図１においてラックＲから引出しＤを引き出す方向（図中矢印Ｆ参照。）の前側を前、後側を後とし、左右は前方に向かっていうものとし、前方から見た図を正面図とする。
【００１８】
図１、図２及び図５に示すように、本考案の実施の形態に係るラックＲは、支柱列Ｐである支柱１，２，３，４を４個（４個に限定されるものではなく、複数であればよい。）の後述する平面視Ｘ字状対称リンクＡ，…により連結しており、Ｘ字状対称リンクＡ，…上に上下３段の引出しＤ，…を載置するとともに、支柱列Ｐの上に天板１０を載置している。
ここで、支柱１，２，３，４は、例えば鋼製のパイプの上下端に合成樹脂製のキャップ８Ａ，８Ｂを嵌入して構成される。
また、天板１０は、例えば厚紙の板体を不織布の可撓性シートで包んだものを用いているが、合成樹脂製のシート若しくはコートボールシート等のシート材又は木製の板材等であってもよい。
【００１９】
図２〜図４に示すように、Ｘ字状対称リンクＡは、支柱列Ｐの前左側の支柱１及び後右側の支柱４を連結する第１水平連結杆１１並びに支柱列Ｐの前右側の支柱２及び後左側の支柱３を連結する第２水平連結杆１２の中間部（中央部）１１Ｃ，１２Ｃ同士を垂直軸であるリベット１５により連結して構成されるため、第１水平連結杆１１及び第２水平連結杆１２をリベット１５まわりに相対的に回動させることができる。
ここで、第１水平連結杆１１及び第２水平連結杆１２は、例えば鋼製の棒であり、図４（ａ）及び（ｂ）に示すように第１水平連結杆１１の両端部１１Ａ，１１Ｂを支柱１，４にそれぞれ溶着し、第２水平連結杆１２の両端部１２Ａ，１２Ｂを支柱２，３にそれぞれ溶着している。
【００２０】
図２及び図４（ｂ）に示すように、支柱列Ｐの前左側の支柱１及び後左側の支柱３間には第１横架部材２１が架設され、支柱列Ｐの前右側の支柱２及び後右側の支柱４間には第２横架部材２２が架設されるため、Ｘ字状対称リンクＡ，…の開き位置が固定されて支柱１，２，３，４の位置が固定される。
ここで、第１横架部材２１及び第２横架部材２２は例えば鋼製の棒であり、第１横架部材２１は水平杆２１Ａ及び水平杆２１Ａの前後端を下側へ折り曲げた折曲部２１Ｂ，２１Ｃからなり、第２横架部材２２は水平杆２２Ａ及び水平杆２２Ａの前後端を下側へ折り曲げた折曲部２２Ｂ，２２Ｃからなる。
また、支柱１，３の左側面には、受体である例えば鋼製の筒体１７，１９が溶着され、支柱２，４の右側面には、受体である例えば鋼製の筒体１８，２０が溶着される。
なお、上記受体は上下方向に穴が貫通した筒体１７，１８，１９，２０でなくてもよく、上面に穴が形成されているものであればよい。
【００２１】
したがって、筒体１７，１９の上面の穴１７Ａ，１９Ａ内へ第１横架部材２１の折曲部２１Ｂ，２１Ｃを挿入することにより支柱１，３への第１横架部材２１の取付けが完了し、筒体１８，２０の上面の穴１８Ａ，２０Ａ内へ第２横架部材２２の折曲部２２Ｂ，２２Ｃを挿入することにより支柱２，４への第２横架部材２２の取付けが完了する。
また、第１横架部材２１及び第２横架部材２２を持ち上げることにより、第１横架部材２１及び第２横架部材２２を支柱１，３及び支柱２，４からそれぞれ取り外すことができる。
よって、Ｘ字状対称リンクＡ，…の開き位置を固定する横架部材２１，２２の取付け及び取外しを、筒体１７，１９及び１８，２０の穴１７Ａ，１９Ａ及び１８Ａ，２０Ａへの折曲部２１Ｂ，２１Ｃ及び２２Ｂ，２２Ｃの挿脱により行うことができるため、保管、運搬又は輸送の際の分解作業及び使用の際の組立作業をねじや工具を使わずに極めて容易に行うことができる。
【００２２】
このようなラックＲの構成によれば、平面視Ｘ字状対称リンクＡ，…の上側に引出しＤ，…を載置した使用状態（図１参照。）から、引出しＤ，…を降ろして横架部材２１，２２を取り外すことにより、第１水平連結杆１１及び第２水平連結杆１２をリベット１５まわりに相対的に回動させて前後の支柱１，３及び２，４を近接させるように折り畳むことができるため（図３及び図４（ａ）参照。）、スペースを縮小して保管、運搬又は輸送することができる。
また、第１水平連結杆１１及び第２水平連結杆１２をリベット１５まわりに相対的に回動させて前後の支柱１，３及び２，４を離間させるようにして横架部材２１，２２，…を取り付け（図２及び図４（ｂ）参照。）、上下４段のＸ字状対称リンクＡ，…の最上段以外の３段のＸ字状対称リンクＡ，Ａ，Ａの上に３段の引出しＤ，Ｄ，Ｄを載置することにより（図１参照。）、容易に組み立てて使用することができる。
そして、フレーム数が比較的少なく、折り畳み可能とするために必要な回動軸が同一水平面内（Ｘ字状対称リンクＡ）に１個（リベット１５）のみであるため、簡素な構成によりコストを大幅に低減することができる。
【００２３】
さらに、図４（ａ）及び（ｂ）に示すように、第１水平連結杆１１は、前左側の支柱１に取り付けられる前左杆１３Ａ、及び、後右側の支柱４に取り付けられる、前左杆１３Ａと略平行な後右杆１３Ｂ、並びに、前左杆１３Ａの後端部と後右杆１３Ｂの前端部とを繋ぐ、前左杆１３Ａの後端部から後右杆１３Ｂの前端部へ向かって後方へ傾斜した第１傾斜杆１３Ｃにより構成され、第２水平連結杆１２は、前右側の支柱２に取り付けられる前右杆１４Ａ、及び、後左側の支柱３に取り付けられる、前右杆１４Ａと略平行な後左杆１４Ｂ、並びに、前右杆１４Ａの後端部と後左杆１４Ｂの前端部とを繋ぐ、前右杆１４Ａの後端部から後左杆１４Ｂの前端部へ向かって後方へ傾斜した第２傾斜杆１４Ｃにより構成される。
【００２４】
そして、図４（ｃ）に示すように、ワッシャ１６を介して第１傾斜杆１３Ｃ及び第２傾斜杆１４Ｃを上下に配置し、リベット１５により第１水平連結杆１１及び第２水平連結杆１２を連結した状態で、前左杆１３Ａ、後右杆１３Ｂ、前右杆１４Ａ及び後左杆１４Ｂの上面の高さが略同一になるように構成している（図２及び図３も参照。）。
よって、Ｘ字状対称リンクＡ，…を用いた折り畳み可能な構成でありながら、Ｘ字状対称リンクＡ，…上に引出しＤ，…をより安定した状態で載置することができる。
その上、リベット１５を上皿リベットとして、その頭部が第１水平連結杆１１及び第２水平連結杆１２（前左杆１３Ａ及び後右杆１３Ｂ並びに前右杆１４Ａ及び後左杆１４Ｂ）の上面から突出しないように構成しているため、引出しＤ，…の開閉動作（引き出す動作又は収納する動作）の際にリベット１５の頭部が引っ掛かることがない。
【００２５】
図６及び図７に示すように、引出しＤは、矩形状の底板２６、底板２６の前端縁及び後端縁から上方へ折り曲げ可能な矩形状の前板２７及び背板２８、底板２６の左端縁及び右端縁から上方へ折り曲げ可能な矩形状の左側板２９及び右側板３０、並びに、図７のように組み立てた状態で左側板２９及び右側板３０の前後端縁から左右方向内側へ折り曲げられる折曲げ舌片２９Ａ，２９Ｂ及び折曲げ舌片３０Ａ，３０Ｂ等からなる。
ここで、底板２６、前板２７及び背板２８並びに左側板２９及び右側板３０は、例えば厚紙の板体を不織布の可撓性シートで包んだものを用いているが、合成樹脂製のシート又はコートボールシート等のシート材を用いてもよい。
【００２６】
図６に示すように簡易着脱具である面ファスナー体３１，…，３２，…が前板２７及び背板２８並びに左側板２９及び右側板３０に貼着又は縫着されており、面ファスナー体３１，３２は一方がループ面で他方がフック面であるため、容易に着脱することができる。
よって、図６に示す引出しＤを展開して平面状として状態から、図７に示す上面が開口された有底箱体として引出しＤを組み立てた状態に容易に変更することができ、逆に、図７に示す状態から図６に示す状態へも容易に変更することができる。
なお、簡易着脱具は、面ファスナー体３１，３２に限定されるものではなく、ホック、ボタン又は紐等であってもよい。
このような構成の引出しＤ，…を用いることにより、ラックＲの保管、運搬又は輸送の際に引出しＤ，…も図６に示すようなスペースを縮小した状態とすることができるとともに、引出しＤ，…を使用する際に容易に組み立てて使用することができる。
【００２７】
図７に示すように、引出しＤの左側板２９及び右側板３０の外側面の後部上側には、落下防止部材である支持片９，９の上部が貼着又は縫着により取り付けられ、支持片９，９の裏面には面ファスナー体３３が貼着又は縫着により取り付けられるとともに、面ファスナー体３３に対向する面ファスナー体３４が左側板２９及び右側板３０の外側面に貼着又は縫着により取り付けられている。
ここで、面ファスナー体３３，３４は一方がループ面で他方がフック面であるため、容易に着脱することができる。
【００２８】
よって、図５の引出しＤ（最上段の引出しＤ）を対応するＸ字状対称リンクＡ（上から２段目のＸ字状対称リンクＡ）上に載置する際には、図７に示すように、左右の支持片９，９の面ファスナー体３３，３４を外した状態としてＸ字状対称リンクＡ上に載置した後に、図１に示すように横架部材２１，２２の上側から支持片９，９を回して横架部材２１，２２の下側で面ファスナー体３３，３４を取り付けた状態とする。
この状態では、支持片９，９により形成される前後方向の通孔９Ａ，９Ａ内に横架部材２１，２２が挿通しており、このような簡素な構成により、例えば把手３５を持って引出しＤ，…を引き出す際における引出しＤ，…の落下を防止することができるとともに、横架部材２１，２２によりガイドされた状態で引出しＤ，…のスライド動作が行われるため、引出しＤ，…の開閉を安定して行うことができる。
【００２９】
第１横架部材２１及び第２横架部材２２は、上述の図２及び図４（ｂ）の構成ではなく、図８に示すように、前後の支柱１，３（支柱２，４）に前後方向の通孔３６，３６，…をあけておき、水平杆２３（２４）に形成した前後の螺孔２３Ａ，２３Ｂ（２４Ａ，２４Ｂ）に取付ねじ２５，２５を螺合することにより取り付けるようにしてもよい。
このような構成によれば、図２及び図４（ｂ）の構成と比較して、第１横架部材２１及び第２横架部材２２の着脱時間が長くなるため分解及び組立の作業時間が長くなる反面、支柱列Ｐと第１横架部材２１及び第２横架部材２２とが強固に連結されるとともに、第１横架部材２１及び第２横架部材２２を持ち上げてラックＲを移動することができる。
【００３０】
また、図１のラックＲの構成に対して、第１横架部材２１及び第２横架部材２２（図２も参照。）の長さを、図９に示すように長くしたり、あるいは短くすることにより、共通の支柱列Ｐ及びＸ字状対称リンクＡ，…を用いながら、引出しＤの載置空間の奥行き及び幅を変更することができる。
すなわち、このような引出しＤの載置空間の奥行き及び幅を変更する際には、第１横架部材２１及び第２横架部材２２を長さが異なる別部品を用いるか、第１横架部材２１及び第２横架部材２２を伸縮可能なものとして、奥行き及び幅を変更した引出しＤ，…を用いればよい。
【００３１】
さらに、図２に示す一体の支柱１，２，３，４に対して、支柱１，２，３，４を上下複数のパイプの連結により構成してもよく、例えば図１０に示すように、上パイプ５Ａと下パイプ６Ａとを連結体７Ａにより繋いで支柱１を、上パイプ５Ｂと下パイプ６Ｂとを連結体７Ｂにより繋いで支柱２を、上パイプ５Ｃと下パイプ６Ｃとを連結体７Ｃにより繋いで支柱３を、上パイプ５Ｄと下パイプ６Ｄとを連結体７Ｄにより繋いで支柱４を、それぞれ構成することができる。
ここで、連結体７Ａ，７Ｂ，７Ｃ，７Ｄは、例えば合成樹脂製であり、上下一方のパイプに挿入されて他方のパイプ側へ突出し、他方のパイプに嵌入されるものである。
このような上下複数のパイプを連結して支柱を形成する構成によれば、保管、運搬又は輸送の際に、より小さい形態にすることができるとともに、収納スペースの拡張ニーズに対してもパイプを追加することにより容易且つフレキシブルに対応することができる。
【００３２】
以上の説明においては、ラックＲが引出しＤ，…を備えたラック（引出し付きラック）である場合を示したが、ラックＲは引出しＤ，…を備えずに、Ｘ字状対称リンクＡ，…の上側に物品を載置するものであってもよい。
【符号の説明】
【００３３】
Ａ  Ｘ字状対称リンク
Ｄ  引出し
Ｐ  支柱列
Ｒ  ラック
１，２，３，４  支柱
５Ａ，５Ｂ，５Ｃ，５Ｄ  上パイプ
６Ａ，６Ｂ，６Ｃ，６Ｄ  下パイプ
７Ａ，７Ｂ，７Ｃ，７Ｄ  連結体
８Ａ，８Ｂ  キャップ
９  支持片（落下防止部材）
９Ａ  通孔
１０  天板
１１  第１水平連結杆
１１Ａ，１１Ｂ  端部
１１Ｃ  中間部（中央部）
１２  第２水平連結杆
１２Ａ，１２Ｂ  端部
１２Ｃ  中間部（中央部）
１３Ａ  前左杆
１３Ｂ  後右杆
１３Ｃ  第１傾斜杆
１４Ａ  前右杆
１４Ｂ  後左杆
１４Ｃ  第２傾斜杆
１５  リベット（垂直軸）
１６  ワッシャ
１７，１８，１９，２０  筒体（受体）
１７Ａ，１８Ａ，１９Ａ，２０Ａ  穴
２１  第１横架部材
２２  第２横架部材
２１Ａ，２２Ａ  水平杆
２１Ｂ，２１Ｃ，２２Ｂ，２２Ｃ  折曲部
２３，２４  水平杆
２３Ａ，２３Ｂ，２４Ａ，２４Ｂ  螺孔
２５  取付ねじ
２６  底板
２７  前板
２８  背板
２９  左側板
２９Ａ，２９Ｂ  折曲げ舌片
３０  右側板
３０Ａ，３０Ｂ  折曲げ舌片
３１，３２，３３，３４  面ファスナー体（簡易着脱具）
３５  把手
３６  通孔
【図１】
0003155433.tif 000003
【図２】
0003155433.tif 000004
【図３】
0003155433.tif 000005
【図４】
0003155433.tif 000006
【図５】
0003155433.tif 000007
【図６】
0003155433.tif 000008
【図７】
0003155433.tif 000009
【図８】
0003155433.tif 000010
【図９】
0003155433.tif 000011
【図１０】
0003155433.tif 000012
【手続補正書】
【提出日】平成21年9月3日(2009.9.3)
【手続補正１】
【補正対象書類名】実用新案登録請求の範囲
【補正対象項目名】請求項３
【補正方法】変更
【補正の内容】
【請求項３】
前記第１横架部材及び第２横架部材が水平杆及び該水平杆の前後端を下側へ折り曲げた折曲部からなり、該折曲部を前記支柱の左右方向外側面に取り付けた受体の上面の穴内へ挿入してなる請求項１記載のラック。
【手続補正２】
【補正対象書類名】実用新案登録請求の範囲
【補正対象項目名】請求項７
【補正方法】変更
【補正の内容】
【請求項７】
前記第１横架部材及び第２横架部材が水平杆及び該水平杆の前後端を下側へ折り曲げた折曲部からなり、該折曲部を前記支柱の左右方向外側面に取り付けた受体の上面の穴内へ挿入してなる請求項５記載の引出し付きラック。
【手続補正３】
【補正対象書類名】実用新案登録請求の範囲
【補正対象項目名】請求項９
【補正方法】変更
【補正の内容】
【請求項９】
前記引出しを引き出した際に前記第１横架部材及び第２横架部材により支持して落下を防止する落下防止部材を前記引出しの左右外側面に取り付けてなる請求項５記載の引出し付きラック。
【手続補正４】
【補正対象書類名】明細書
【補正対象項目名】０００８
【補正方法】変更
【補正の内容】
【０００８】
また、前記第１横架部材及び第２横架部材が水平杆及び該水平杆の前後端を下側へ折り曲げた折曲部からなり、該折曲部を前記支柱の左右方向外側面に取り付けた受体の上面の穴内へ挿入してなると好ましい。
このようなラックの構成によれば、前記効果に加え、Ｘ字状対称リンクの開き位置を固定する第１横架部材及び第２横架部材の取付け及び取外しを受体の穴への折曲部の挿脱により行うことができるため、保管、運搬又は輸送の際の分解作業及び使用の際の組立作業をねじや工具を使わずに極めて容易に行うことができる。
【手続補正５】
【補正対象書類名】明細書
【補正対象項目名】００１２
【補正方法】変更
【補正の内容】
【００１２】
また、前記第１横架部材及び第２横架部材が水平杆及び該水平杆の前後端を下側へ折り曲げた折曲部からなり、該折曲部を前記支柱の左右方向外側面に取り付けた受体の上面の穴内へ挿入してなると好ましい。
このような引出し付きラックの構成によれば、前記効果に加え、Ｘ字状対称リンクの開き位置を固定する第１横架部材及び第２横架部材の取付け及び取外しを受体の穴への折曲部の挿脱により行うことができるため、保管、運搬又は輸送の際の分解作業及び使用の際の組立作業をねじや工具を使わずに極めて容易に行うことができる。
【手続補正６】
【補正対象書類名】明細書
【補正対象項目名】００１４
【補正方法】変更
【補正の内容】
【００１４】
さらにまた、前記引出しを引き出した際に前記第１横架部材及び第２横架部材により支持して落下を防止する落下防止部材を前記引出しの左右外側面に取り付けてなると好ましい。
このような引出し付きラックの構成によれば、前記効果に加え、簡素な構成により引出しの落下防止を行うことができるとともに、第１横架部材及び第２横架部材によりガイドされた状態で引出しのスライド動作が行われるため、引出しの開閉を安定して行うことができる。